(57)【要約】      （修正有）【課題】干渉信号を防止できる着用型生理信号測定装置を提供する。【解決手段】着用型生理信号測定装置５０は、測定対象者の生理信号を測定する電導体層５２と、電導体層５２の一側に設けられ、外部の静電気干渉が電導体層５２に進入するのを防ぐ絶縁被覆層６２とを含む。電導体層５２には、測定対象者の皮膚と接触してその生理信号（例えば心電信号）を測定する少なくとも１つの織物電極５４が設けられている。織物電極５４は伸縮自在な弾性導電布であり、金属導電繊維の形で電導体層５２の他材料に織り込むか、また電導体層５２に別個縫着することができる。着用型生理信号測定装置５０は更に弾性織物層５８を含み、弾性織物層５８は例えば衣類６０と接触する弾性布であり、人造繊維または人造繊維と綿の混紡であり、例えばナイロンまたはライクラ（Ｌｙｃｒａ）と綿からなる。【選択図】図３
0003150673.tif 000002
【実用新案登録請求の範囲】
【請求項１】
干渉防止可能な着用型生理信号測定装置であって、
測定対象者の生理信号を測定する電導体層と、
前記電導体層の一側に設けられ、外部の静電気干渉が前記電導体層に進入するのを防ぐ絶縁被覆層とを含む、着用型生理信号測定装置。
【請求項２】
前記電導体層には少なくとも１つの織物電極が設けられ、当該織物電極は測定対象者の皮膚と接触してその生理信号を測定する、請求項１に記載の着用型生理信号測定装置。
【請求項３】
前記着用型生理信号測定装置は更に、前記絶縁被覆層の外側に設けられる弾性織物層を含む、請求項１に記載の着用型生理信号測定装置。
【請求項４】
前記絶縁被覆層は縫着、熱圧着、または粘着の方式で前記電導体層と前記弾性織物層の間に設けられる、請求項３に記載の着用型生理信号測定装置。
【請求項５】
前記絶縁被覆層は前記弾性織物層の内側に塗布される、請求項３に記載の着用型生理信号測定装置。
【請求項６】
前記弾性織物層は人造繊維からなる、請求項３に記載の着用型生理信号測定装置。
【請求項７】
前記電導体層は測定対象者の心電信号、呼吸信号、身体インピーダンス、または体温変化を測定する、請求項１に記載の着用型生理信号測定装置。
【請求項８】
前記絶縁被覆層は前記電導体層の側に塗布される、請求項１に記載の着用型生理信号測定装置。
【請求項９】
前記絶縁被覆層はプラスチックからなる、請求項１に記載の着用型生理信号測定装置。
【請求項１０】
前記絶縁被覆層は絶縁接着剤からなる、請求項１に記載の着用型生理信号測定装置。
【請求項１１】
前記絶縁被覆層はゴムからなる、請求項１に記載の着用型生理信号測定装置。
【請求項１２】
前記絶縁被覆層はシリカゲルからなる、請求項１に記載の着用型生理信号測定装置。
【請求項１３】
前記絶縁被覆層は布系絶縁材料からなる、請求項１に記載の着用型生理信号測定装置。
【請求項１４】
前記絶縁被覆層は綿布からなる、請求項１３に記載の着用型生理信号測定装置。
【請求項１５】
前記絶縁被覆層は布ベークライトからなる、請求項１３に記載の着用型生理信号測定装置。
【請求項１６】
前記絶縁被覆層は電気用ポリエステル繊維不織布からなる、請求項１に記載の着用型生理信号測定装置。
【請求項１７】
前記絶縁被覆層はガラス繊維からなる、請求項１に記載の着用型生理信号測定装置。
【請求項１８】
前記絶縁被覆層はアスベストからなる、請求項１に記載の着用型生理信号測定装置。
【請求項１９】
前記絶縁被覆層は羊毛からなる、請求項１に記載の着用型生理信号測定装置。
【請求項２０】
前記絶縁被覆層はテフロン（登録商標）からなる、請求項１に記載の着用型生理信号測定装置。
【請求項２１】
前記絶縁被覆層はマイカシートからなる、請求項１に記載の着用型生理信号測定装置。
【考案の詳細な説明】
【技術分野】
【０００１】
本考案は着用型生理信号測定装置に関し、特に干渉信号を防止できる着用型生理信号測定装置に関する。
【背景技術】
【０００２】
健康管理や医療への関心が高まるにつれ、各種の生理信号測定装置が医療機器の開発の重点となりつつある。例えば、呼吸、心拍、身体動作をモニタリングできる生理信号測定装置が開発されている。しかし、従来の固定型生理信号測定装置は特定の場所でしか測定対象者の状態をモニタリングすることができず、機動性に欠ける。これを改善するために、時間と場所を問わず測定対象者の生理信号を測定できる、測定対象者が着用可能な着用型生理信号測定装置が開発された。図１を参照する。図１は従来の着用型生理信号測定装置１０の構造を表す説明図である。着用型生理信号測定装置１０は電導体層１２を含み、電導体層１２には、測定対象者の皮膚と接触してその生理信号を測定する少なくとも１つの織物電極１４が設けられている。着用型生理信号測定装置１０は更に弾性織物層１８を含み、弾性織物層１８は電導体層１２に結合され衣類２０と接触する。従来の着用型生理信号測定装置１０を日常生活の中で長時間使用すれば、衣類２０と弾性織物層１８の接触により、測定対象者が動けば衣類２０と弾性織物層１８が相互に摩擦し、静電気が発生しうる。それにより発生する干渉信号は、電導体層１２で読み取る生理信号（例えば心電信号）に影響し、信号の品質を劣らせ、モニタリングの信頼性と正確性を低下させる。
【考案の概要】
【考案が解決しようとする課題】
【０００３】
本考案は前掲問題を解決するために、干渉信号を防止できる着用型生理信号測定装置を提供する。
【課題を解決するための手段】
【０００４】
本考案では、干渉防止可能な着用型生理信号測定装置を開示する。当該着用型生理信号測定装置は、測定対象者の生理信号を測定する電導体層と、電導体層の一側に設けられ、外部の静電気干渉が前記電導体層に進入するのを防ぐ絶縁被覆層とを含む。
【０００５】
本考案による電導体層には少なくとも１つの織物電極が設けられ、当該織物電極は測定対象者の皮膚と接触してその生理信号を測定する。
【０００６】
本考案による着用型生理信号測定装置は更に、絶縁被覆層の外側に設けられる弾性織物層を含む。
【０００７】
本考案による絶縁被覆層は縫着、熱圧着、または粘着の方式で電導体層と弾性織物層の間に設けられる。
【０００８】
本考案による絶縁被覆層は弾性織物層の内側に塗布される。
【０００９】
本考案による弾性織物層は人造繊維からなる。
【００１０】
本考案による電導体層は測定対象者の心電信号、呼吸信号、身体インピーダンス、または体温変化を測定する。
【００１１】
本考案による絶縁被覆層は電導体層の側に塗布される。
【００１２】
本考案による絶縁被覆層はプラスチック、絶縁接着剤、ゴム、電気用ポリエステル繊維不織布、ガラス繊維、アスベスト、羊毛、テフロン（登録商標）、マイカシート、またはシリカゲルからなる。
【００１３】
本考案による絶縁被覆層は布系絶縁材料、例えば綿布、布ベークライトからなる。
絶縁接着剤からなる、請求項１に記載の着用型生理信号測定装置。
【図面の簡単な説明】
【００１４】
【図１】従来の着用型生理信号測定装置の構造を表す説明図である。
【図２】本考案による着用型生理信号測定装置の外観図である。
【図３】本考案による着用型生理信号測定装置の構造を表す説明図である。
【図４】本考案の他実施例による着用型生理信号測定装置の構造を表す説明図である。
【考案を実施するための形態】
【００１５】
かかる装置の特徴を詳述するために、具体的な実施例を挙げ、図を参照にして以下に説明する。
【００１６】
図２と図３を参照する。図２は本考案による着用型生理信号測定装置５０の外観図であり、図３は本考案による着用型生理信号測定装置５０の構造を表す説明図である。着用型生理信号測定装置は例えば心拍ベルトであって、測定対象者の心電信号（例えば心拍数）、呼吸信号、身体インピーダンス、または体温変化を測定する。着用型生理信号測定装置５０は運動時の心拍測定や、心不全患者の遠隔医療用長時間心電図の取得に用いることができる。着用型生理信号測定装置５０は電導体層５２を含み、電導体層５２には、測定対象者の皮膚と接触してその生理信号（例えば心電信号）を測定する少なくとも１つの織物電極５４が設けられている。織物電極５４は伸縮自在な弾性導電布であり、金属導電繊維の形で電導体層５２の他材料に織り込むか、また電導体層５２に別個縫着することができる。着用型生理信号測定装置５０は更に弾性織物層５８を含み、弾性織物層５８は例えば衣類６０と接触する弾性布であり、人造繊維または人造繊維と綿の混紡であり、例えばナイロンまたはライクラ（Ｌｙｃｒａ）と綿からなる。
【００１７】
本考案の特徴は、着用型生理信号測定装置５０に絶縁被覆層６２を設けることにある。絶縁被覆層６２は電導体層５２と弾性織物層５８の間に設けられ、絶縁材料からなるので、弾性織物層５８と衣類６０間の摩擦により発生する静電気を遮断できる。電導体層５２と弾性織物層５８の間に絶縁被覆層６２を設けるのは、電導体層５２と弾性織物層５８の間に絶縁被覆層６２を縫着、熱圧着、もしくは粘着するか、絶縁被覆層６２を電導体層５２の内側に塗布するか、または絶縁被覆層６２を弾性織物層５８の内側に塗布するかという方法があり、絶縁被覆層６２の面積を電導体層５２の導電範囲より大きくしなければならない。電導体層５２と弾性織物層５８の間に絶縁被覆層６２を設けることで、弾性織物層５８と衣類６０間の摩擦により発生する静電気を遮断するものであれば、いずれも本考案の範囲に属する。もっとも、本考案では弾性織物層５８の設置は任意である。言い換えれば、電導体層５２の外側に絶縁被覆層６２を設け、外部の静電気干渉が電導体層５２に進入するのを防ぐものであれば（例えば運動用の着用型生理信号測定装置）、弾性織物層５８を設ける必要はない。
【００１８】
また、絶縁被覆層６２はプラスチック、絶縁接着剤、ゴム、シリカゲル、ガラス繊維、アスベスト、羊毛、テフロン（登録商標）、マイカシート、ディーゼルペーパー（油浸紙）、ニコライト積層板、マイラー（Ｍｙｌａｒ）、ポリエステルフィルム、電気用ポリエステル繊維不織布などの材料からなるか、または綿布、布ベークライトなどの布系材料からなる。
【００１９】
図４を参照する。図４は本考案の他実施例による着用型生理信号測定装置の構造を表す説明図である。前掲実施例と異なり、弾性織物層５８と衣類６０の摩擦により発生する静電気を遮断するものであれば、絶縁被覆層６２を電導体層５２と弾性織物層５８の間に一部設けてもよい。言い換えれば、弾性織物層５８と衣類６０の摩擦により発生する静電気を遮断するために、絶縁被覆層６２で電導体層５２の織物電極５４と弾性織物層５８を分離すればよい。そうすると絶縁被覆層６２の使用量を削減することができる。
【００２０】
まとめて言えば、本考案は絶縁材料からなる絶縁被覆層６２を電導体層５２の外側または電導体層５２と弾性織物層５８の間に設けることで、外部の静電気干渉または弾性織物層５８と衣類６０の摩擦により発生する静電気が電導体層５２に進入するのを防ぎ、静電気による干渉信号を防ぎ、読み取られた生理信号（例えば心電信号）の品質と正確性を向上させることができる。例えば心拍計の安定性、またはバックエンド自動分析ソフトウェアの判断正確性を向上させ、心電波形の臨床診断での価値を増加させることができる。なお、本考案による絶縁被覆層６２の増設する所要のコストが低く、特殊の工程も要しないので、産業競争力に富んでいる。
【００２１】
従来の技術に比べて、本考案では電導体層の一側に設けられる絶縁被覆層で、外部の静電気干渉または弾性織物層と衣類の摩擦により発生する静電気が電導体層に進入するのを防ぐ。そうすれば静電気による干渉信号を防ぎ、読み取られた生理信号の品質と正確性を向上させることができる。
【００２２】
以上は本考案に好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の特許請求の範囲に属するものとする。
【符号の説明】
【００２３】
１０、５０、１００    着用型生理信号測定装置
１２、５２            電導体層
１４、５４            織物電極
１６、５６            皮膚
１８、５８            弾性織物層
２０、６０            衣類
６２                  絶縁被覆層
【図１】
0003150673.tif 000003
【図２】
0003150673.tif 000004
【図３】
0003150673.tif 000005
【図４】
0003150673.tif 000006